(57)【要約】【課題】  不適正なごみの投入を防止でき、さらに、ごみの回収作業の負担を軽減する。【解決手段】  本発明の固定設置装置１００は、ごみ容器１の容器本体２を内側に収容する本体フレーム１２０と、ごみ容器１の上蓋３を容器本体２から分離させて保持する上蓋フレーム１３０とを備えて、この上蓋フレーム１３０が本体フレーム１２０の背面側上部に回動可能に取着されている。本体フレーム１２０は、開閉自在な開閉扉１２１が前面に設けられるとともに、容器本体２を保持する可動台１４０が内側に備えられており、この可動台１４０と本体フレーム１２０との間に設けられた支承手段１５０により、可動台１４０が本体フレーム１２０の手前方向に傾動可能となされて、開閉扉１２１を開けて可動台１４０とともに容器本体２を容易に前傾させることが可能となっている。【選択図】  図５
2009208850.tif 000002
【特許請求の範囲】
【請求項１】
ごみが収容される容器本体を有するごみ容器を保持して設置場所に固定するごみ容器の固定設置装置であって、ごみ容器の容器本体を内側に保持する本体フレームと、この本体フレームの上部に設けられたごみの投入部とを備え、
前記本体フレームは、開閉自在な開閉扉が前面に設けられるとともに、容器本体を保持する可動台が内側に備えられており、この可動台と本体フレームとの間に設けられた支承手段により、可動台が本体フレームの手前方向に傾動可能となされて、開閉扉を開けて可動台とともに容器本体を前傾させうることを特徴とするごみ容器の固定設置装置。
【請求項２】
請求項１に記載のごみ容器の固定設置装置において、
前記支承手段は、本体フレームの底部にヒンジ軸が架設されるとともに、このヒンジ軸に係止して可動台を傾動支持する軸受部材が可動台の底部に設けられていることを特徴とするごみ容器の固定設置装置。
【請求項３】
請求項２に記載のごみ容器の固定設置装置において、
前記本体フレームは底部の少なくとも隅部に底板が配設されて、前傾した可動台の底部を支持しうることを特徴とするごみ容器の固定設置装置。
【請求項４】
請求項１〜３のいずれか一つの請求項に記載のごみ容器の固定設置装置において、
前記本体フレームは、四周側面にそれぞれ開口部が設けられて、本体フレームの内側の容器本体を本体フレームの外側から視認可能とされたことを特徴とするごみ容器の固定設置装置。
【請求項５】
請求項１〜４のいずれか一つの請求項に記載のごみ容器の固定設置装置において、
前記ごみ容器はさらに、ごみの投入口を設けた上蓋を有し、前記投入部がこの上蓋を保持可能な上蓋フレームとなされるとともに、この上蓋フレームが本体フレームの背面側に回動可能に取着されていることを特徴とするごみ容器の固定設置装置。
【請求項６】
請求項５に記載のごみ容器の固定設置装置において、
前記上蓋フレームは、ごみ容器の上蓋周縁部と係合して上蓋を保持可能とされるとともに、上蓋フレームの上方にごみの投入口を配設可能に形成されたことを特徴とするごみ容器の固定設置装置。
【請求項７】
請求項５または６に記載のごみ容器の固定設置装置において、
前記上蓋フレームの前面には、閉じられた開閉扉の上縁部に係合する係合部材が設けられて、開閉扉が閉止されることにより、上蓋フレームが開閉不能となることを特徴とするごみ容器の固定設置装置。
【請求項８】
請求項５〜７のいずれか一つの請求項に記載のごみ容器の固定設置装置において、
前記本体フレームに開閉扉を閉止して施錠するロック手段が設けられたことを特徴とするごみ容器の固定設置装置。
【請求項９】
請求項５〜８のいずれか一つの請求項に記載のごみ容器の固定設置装置において、
前記本体フレームと上蓋フレームとの間には、上蓋フレームを開放した状態で保持する、折曲可能な屈折アームが備えられたことを特徴とするごみ容器の固定設置装置。
【請求項１０】
請求項５〜９のいずれか一つの請求項に記載のごみ容器の固定設置装置において、
前記上蓋フレームの前面には開閉操作するための把手部が設けられたことを特徴とするごみ容器の固定設置装置。
【請求項１１】
請求項１〜１０のいずれか一つの請求項に記載のごみ容器の固定設置装置において、
前記本体フレームの内側上部には、投入されるごみを容器本体へ誘導する傾斜したガイド板が設けられていることを特徴とするごみ容器の固定設置装置。
【請求項１２】
請求項１〜１１のいずれか一つの請求項に記載のごみ容器の固定設置装置において、
前記本体フレームの底部には固定脚部が設けられ、ごみ容器の設置場所にアンカー固定可能なボルト挿通孔が形成されていることを特徴とするごみ容器の固定設置装置。
【請求項１３】
請求項１〜１２のいずれか一つの請求項に記載のごみ容器の固定設置装置において、
前記可動台には傾動操作するためのハンドル部が設けられたことを特徴とするごみ容器の固定設置装置。
【発明の詳細な説明】
【技術分野】
【０００１】
本発明は、ごみを回収するためのごみ容器を設置場所に固定するごみ容器の固定設置装置に関する。
【背景技術】
【０００２】
駅や公園、高速道路のサービスエリアやコンビニエンスストアなど、不特定多数の人の集まる場所に設置されているごみ箱には、ごみを可燃ごみ、不燃ごみ、ビン、カン、ペットボトル等の種類別に分別して回収できるように、複数個のごみ箱を横一列に並べたものが多く利用されている。
【０００３】
例えば、特許文献１に記載されているように、箱状のごみ箱を複数個、横一列に配置し、各ごみ箱の前面に投入可能なごみの種類を表示し、その表示の上方にごみの投入口が設けられたものが知られている。この種のごみ箱は、ビンやカンの投入口では円形孔が設けられてビンやカン以外のごみが捨てられないように工夫されているが、可燃ごみや不燃ごみの投入口はごみの大きさを特定できないため、比較的広く設けられている。
【０００４】
また、特許文献２に記載されているように、複数個のごみ箱を既設柱の周囲に環状に連結して、省スペースでのごみの分別を可能にするとともにごみ箱の転倒を防止したものも提案されている。このごみ箱においては、枠体ユニットにごみ箱が着脱自在かつヒンジ軸により手前に揺動可能に収納されて、ごみ箱の上方と枠体ユニットの枠部との間にごみ投入空間を設けてある。
【０００５】
また、特許文献３においては、蓋体にスイング蓋を設けたごみ容器も提案されている。この種のごみ容器は、ごみが投入される容器本体と、この容器本体上に取り付けられてスイング蓋を有する蓋体とを備えて構成されている。また、ごみ容器は、容器本体の上縁に、外側及び上下に開口する複数の切欠部を有する取付突起が、連結部を介して一体的に突出形成され、これらの各取付突起に縦リブを有する把手が外側から嵌合されている。
【特許文献１】実用新案登録第３０７７２２０号公報
【特許文献２】特開２００５−２６３４６４号公報
【特許文献３】特開平８−２３９１０１号公報
【発明の開示】
【発明が解決しようとする課題】
【０００６】
前記特許文献に記載されているような各種のごみ箱は、投入口が比較的広く設けられているものが多く、公共の場所に設置されているにもかかわらず、投入口から家庭ごみが投入されてしまうおそれがあった。加えて、従来のごみ箱では、ごみ容器または回収袋が覆われた構造であって、ごみが投入されてしまうと外側からは内部が見えないため、分別がなされているかどうかや、投入されているごみの量など、ごみ箱の内容が把握できず、またこれにより不適正なごみの投入を防止しにくいという事情もあった。
【０００７】
また、屋外に設置される場合、ごみ容器を単独で置いただけでは、風雨にさらされてごみ容器が倒れたり移動したりしてしまうおそれがあり、設置場所に確実に固定できることが求められていた。さらに、投入されたごみを回収する際には、ごみの入った回収袋を垂直上方へ引っ張り上げてごみ容器から抜き出さなければならず、回収作業者にとって大きな負担となっていた。
【０００８】
そこで本発明は、上記のような問題点にかんがみてなされたものであり、不特定多数の人が利用する場において、ごみを適切に分別して回収することを可能にして、家庭ごみの投入や不適正な分別を防止できる構造を備えるとともに、ごみの回収作業の負担を軽減することのできるごみ容器の設置固定装置を提供するものである。
【課題を解決するための手段】
【０００９】
上記した目的を達成するため、本発明は、ごみが収容される容器本体を有するごみ容器を内側に保持して設置場所に固定するごみ容器の固定設置装置であって、ごみ容器の容器本体を内側に収容する本体フレームと、この本体フレームの上部に設けられたごみの投入部とを備え、本体フレームは、開閉自在な開閉扉が前面に設けられるとともに、容器本体を保持する可動台が内側に備えられており、この可動台と本体フレームとの間に設けられた支承手段により、可動台が本体フレームの手前方向に傾動可能となされて、開閉扉を開けて可動台とともに容器本体を前傾させうることを特徴とする。
【００１０】
このような本発明により、ごみ容器を設置場所に安定的に固定することができる。ここで、本体フレームは開閉扉を備えており、また、内側の可動台を前傾させることができるので、本体フレームの内側の容器本体を、本体フレームに対して出没させることが可能となる。その結果、ごみの回収作業時には前傾させた容器本体から、内部のごみを容易に回収することができ、作業負担を大幅に軽減することができる。
【００１１】
また、本発明は前記構成のごみ容器の固定設置装置において、前記支承手段が、本体フレームの底部にヒンジ軸が架設されるとともに、このヒンジ軸に係止して可動台を傾動支持する軸受部材が可動台の底部に設けられていることを特徴とする。
【００１２】
さらに、前記本体フレームは底部の少なくとも隅部に底板が配設されて、前傾した可動台の底部を支持しうるように構成されていることが好ましい。
【００１３】
このような構成により、可動台を必要な角度まで前傾させることができ、また、底板により可動台を支持することも可能となって、さらに作業性が高められる。可動台は、ごみ容器の容器本体の上部が本体フレームの外側に現れる程度まで前傾しうることが好ましく、例えば、地面に対して約４０°〜４５°の角度まで傾動可能であるとよい。
【００１４】
また、本発明は前記構成のごみ容器の固定設置装置において、前記本体フレームは、四周側面にそれぞれ開口部が設けられて、本体フレームの内側の容器本体を視認可能とされたことを特徴とする。
【００１５】
このように、本体フレームに収容したごみ容器を外側からも視認できるため、ごみ容器を透明体で形成することにより、投入されたごみの様子や量を把握することができ、また不適正なごみの投入を防止することが可能となる。
【００１６】
また、本発明においては、前記ごみ容器はさらに、ごみの投入口を設けた上蓋を有するものであってもよく、この場合、前記投入部がこの上蓋を保持可能な上蓋フレームとなされるとともに、本体フレームの背面側に回動可能に取着されていることが好ましい。
【００１７】
このような構成により、上蓋フレームにごみ容器の上蓋を保持させてごみの投入口を容器本体および本体フレームの上部に配設することができ、かかる上蓋フレームを本体フレームに対して開閉することが可能となる。
【００１８】
また、本発明は前記構成のごみ容器の固定設置装置において、前記上蓋フレームは、ごみ容器の上蓋周縁部に係合して上蓋を保持可能とされるとともに、上蓋フレームの上方にごみの投入口を配設可能に形成されたことを特徴とする。
【００１９】
このような構成を備えることにより、内側に保持するごみ容器として、従来から汎用のごみ容器をそのまま利用することができ、各種のごみ容器の固定設置に対応することができる。
【００２０】
また、本発明は前記構成のごみ容器の固定設置装置において、前記上蓋フレームの前面には、閉じられた開閉扉の上縁部に係合する係合部材が設けられて、開閉扉が閉止されることにより、上蓋フレームが開閉不能となるように構成されてもよい。これにより、上蓋フレームを閉じたとき開閉扉に対して係合させておくことができる。
【００２１】
加えて、前記本体フレームに開閉扉を閉止して施錠するロック手段が設けられてもよい。これにより、不用意に開閉扉を開けられることがなく、安全性および防犯性を高めることができる。また、上蓋フレームの係合部材とロック手段との両方を備えた場合、ロック手段によって、開閉扉が本体フレームに施錠されるだけでなく、この開閉扉に係合した上蓋フレームも閉止した状態に維持することが可能となる。
【００２２】
したがって、開閉扉が閉止された状態で施錠されているときには、上蓋フレームも閉じられた状態で開けることができず、管理者やごみの回収者以外には開閉扉や上蓋フレームを開けられないようにすることができる。また、上記の簡単な構成により、開閉扉と本体フレームとの間に設けたロック手段のみの施解錠操作で、上蓋フレームおよび開閉扉を閉止したり開放したりすることができて、管理が容易になり作業性も高められる。
【００２３】
また、本発明は前記構成のごみ容器の固定設置装置において、前記本体フレームと上蓋フレームとの間には、上蓋フレームを開放した状態で保持する、折曲可能な屈折アームが備えられてもよい。
【００２４】
これにより、ごみの回収作業時に、上方へ上げて開放された上蓋フレームを手で押さえておく必要がなく、また誤って上蓋フレームと本体フレームとの間に手を挟むおそれもなく、作業性よくごみを回収することができる。
【００２５】
また、前記上蓋フレームの前面には、開閉操作するための把手部が設けられることが好ましい。これにより、より一層操作しやすくでき、ごみの回収作業を安全で効率良く進めることができるようになる。
【００２６】
また、本発明は前記構成のごみ容器の固定設置装置において、前記本体フレームの内側上部には、投入されるごみを容器本体へ誘導する傾斜したガイド板が設けられていることが好ましい。
【００２７】
これにより、投入口から投入されたごみを、確実に容器本体内へ導入することができ、ごみの回収作業も容易になる。
【００２８】
また、本発明は前記構成のごみ容器の固定設置装置において、前記本体フレームの底部には固定脚部が設けられ、ごみ容器の設置場所にアンカー固定可能なボルト挿通孔が形成されていることが好ましい。
【００２９】
これにより、ごみ容器を保持した本体フレームおよび上蓋フレームを、設置場所に安定的に固定して、風雨の影響を受けても動かないように継続的に設置することが可能になる。
【００３０】
さらに、本発明は前記構成のごみ容器の固定設置装置において、前記可動台には傾動操作するためのハンドル部が設けられることが好ましい。これにより、より一層操作しやすくでき、ごみの回収作業を安全で効率良く進めることができるようになる。
【発明の効果】
【００３１】
上述のように構成される本発明のごみ容器の固定設置装置によれば、不特定多数の人が利用する場において、家庭ごみの投入や不適正な分別を防止できて、ごみを適切に分別して回収することを可能にし、また、ごみ容器を傾けてごみを回収することができるので、回収作業における負担を大幅に軽減することが可能となる。
【発明を実施するための最良の形態】
【００３２】
以下、本発明に係るごみ容器の固定設置装置を実施するための最良の形態について、図面を参照しつつ説明する。
【００３３】
−ごみ容器の説明−
本発明に係るごみ容器の固定設置装置の説明に先だって、内側に収容されるごみ容器について例示しつつ簡単に説明する。
【００３４】
図１はごみ容器の一例を示す斜視図である。
【００３５】
ごみ容器１は、内側にごみを収容する略角筒形状の容器本体２と、容器本体２の上端開口部の周縁に着脱自在に装着されて、その上端開口部を覆う略角錐台状の上蓋３と、上蓋３に一体に取り付けられたキャップ４とを備えている。
【００３６】
例えば、ごみ容器１を構成する容器本体２および上蓋３は、透明体であって、インジェクションブロー成形法によって容器本体２および上蓋３を一体に成形した後、切断して容器本体２と上蓋３とに分離して形成されている。
【００３７】
また、上蓋３は、その上面にインジェクションブロー成形法に際して空気を吹き込む吹込口を備え、キャップ４が嵌め合わされて上蓋３と一体的に設けられている。キャップ４は、例えば有色体であって、容器本体２および上蓋３とは別個に成形されたものであり、略球冠形状に形成されている。
【００３８】
また、上蓋３の一傾斜面には、ごみの投入口３ａが形成されている。図示する形態においては、ごみの投入口３ａは、ペットボトル、スチール缶、アルミ缶などの容器形状に合わせて丸孔形状に形成されている。なお、ごみの投入口３ａは、投入されるごみの種類に応じて多様な形状が採用され、丸孔形状のほか、楕円形状、略横長形状、略矩形状など、どのような形状の開口であってもよい。
【００３９】
かかるごみ容器１は、容器本体２および上蓋３が透明体であることから、内部に投棄された缶などの容器の種類や内容あるいは量を視認して把握することができるとともに、透明体という斬新なデザインによる美観を演出することもできるように配慮されている。
【００４０】
また、ごみ容器１は、内部にごみ袋が収容されるとともに、後述するごみ容器１の設置固定装置１００に保持されて、高速道路のサービスエリア内や、駅、あるいはイベント会場など、不特定多数の利用者が集う場所に配置される。そして、可燃ごみ、不燃ごみ、ペットボトル、ビン、カン、新聞雑誌などのごみを、上蓋３の投入口３ａを通して投棄することができるようになっている。
【００４１】
また、形成した上蓋３を用意するとともに、各蓋体３に対応する複数個の容器本体２を用意することにより、ごみの種類ごとに分別回収することが可能となっている。
【００４２】
−ごみ容器の固定設置装置の説明−
次に、前記のようなごみ容器１を内側に保持して、ごみの回収場所に固定するための固定設置装置１００について説明する。
【００４３】
図２〜図４は本発明のごみ容器の固定設置装置の一実施形態を示し、図２は固定設置装置の正面図、図３，４はごみ容器を保持した状態の固定設置装置の斜視図である。
【００４４】
例示のごみ容器１の固定設置装置１００は、ごみ容器１の容器本体２を内側に収容する本体フレーム１２０と、ごみの投入部（１３０）とを備えている。例示の形態において、投入部は、ごみ容器１の上蓋３を容器本体２から上方に分離させた状態で保持可能な上蓋フレーム１３０となされている。
【００４５】
本体フレーム１２０と上蓋フレーム１３０とは、互いに接した背面側において蝶番１３１ａにより回動可能に取着されており、本体フレーム１２０から上蓋フレーム１３０を開閉できるように設けられている。
【００４６】
これらのうち、本体フレーム１２０は、開閉自在な開閉扉１２１が前面の左右の一方に蝶番１２１ａにより回動自在に取着されて、適宜、本体フレーム１２０の前面を開放できるようになっている。また、この開閉扉１２１を含めて、本体フレーム１２０の四周側面はそれぞれ開口部１２２を有するように枠組みされて形成されている。
【００４７】
すなわち、本体フレーム１２０は、平面視矩形状に枠組みされた下部フレーム１２３の四隅に、支柱フレーム１２４…１２４が高さ方向に立設されるとともに、下部フレーム１２３と同様に矩形状に枠組みされた上部フレーム１２５の四隅に支柱フレーム１２４…１２４が接合されて組み上げられている。また、例示の形態にあっては、図４に示されるように、本体フレーム１２０は、背面および二側面において、上下各フレーム１２３，１２５の外側に、表面板１２２ａがそれぞれ配設されている。開閉扉１２１もこれと同様の外観を呈するように形成されて開口部１２２が設けられている。
【００４８】
これにより、これらの表面板１２２ａ…１２２ａと支柱フレーム１２４…１２４とで囲まれた側面領域が開口されるとともに、開閉扉１２１を含めて、本体フレーム１２０の四面に開口部１２２が形成されている。したがって、図３に示すように、本体フレーム１２０の内側にごみ容器１の容器本体２を納めたとき、これらの開口部１２２を通して、本体フレーム１２０の内側の容器本体２を、本体フレーム１２０の外側からも視認可能とされている。
【００４９】
図５は、固定設置装置１００の底面図である。本体フレーム１２０の底部は、下部フレーム１２３の二側面間に２本の棒体１２６、１２６が左右方向に架け渡されて構成されている。また、底部の四隅には、隅部を固める略三角形の火打ち板（底板）１２７…１２７が配設されている。
【００５０】
各火打ち板１２７には、固定脚部１１０が設けられている。固定設置装置１００は、ごみ容器１を所定の場所に設置するとともに、ごみ容器１が屋外に設置されるときにはごみ容器１が風などで飛ばされたり、不用意に移動したりすることのないように、設置場所に固定する作用をなす。そのため、本体フレーム１２０の底部に固定脚部１１０が設けられており、固定脚部１１０が本体フレーム１２０を地面に支持するように構成されている。
【００５１】
例示の形態では、図２にも示されるように、固定脚部１１０は、地面に当接する設置板部１１１と、本体フレーム１２０の底部の火打ち板１２７に取着される接合板部１１２とが屈折した状態で一体に接続形成されている。
【００５２】
設置板部１１１には、地面に埋め込み設置されたアンカーボルトを挿通させ固定するボルト挿通孔１１３が設けられている。接合板部１１２は、地面に設置して本体フレーム１２０を支持する台座１１４を備えるボルト・ナット１１５により火打ち板１２７に接合されている。これにより、固定設置装置１００の本体フレーム１２０を設置場所に安定的に支持するとともに動かないように固定することができるようになっている。
【００５３】
また、本体フレーム１２０の内部には、ごみ容器１の容器本体２を保持する可動台１４０が備えられている。図６は、固定設置装置１００の側面図であり、内側の可動台１４０の傾動動作を示している。例示の可動台１４０は、容器本体２の底部を受けるトレー１４１と、トレー１４１に接続された支持フレーム１４２およびハンドル部１４３とを有する。
【００５４】
図４に示されるように、可動台１４０のトレー１４１は、矩形状の受け台として四周が立上げ形成され、容器本体２を載置できるように構成されている。支持フレーム１４２は、例えば丸パイプ状の棒体により正面視門型に形成されて、トレー１４１の左右側面の前方寄りに接合されている。支持フレーム１４２の上辺は前方へ屈曲して手前へ配設され、可動台１４０を傾動操作するためのハンドル部１４３となされている。このような可動台１４０が、本体フレーム１２０の底部の２本の棒体１２６、１２６の上に設置されている。
【００５５】
かかる可動台１４０と本体フレーム１２０との間には、可動台１４０の支承手段１５０が設けられている。例示の形態においては、支承手段１５０は、本体フレーム１２０の底部の手前側の棒体１２６をヒンジ軸として、可動台１４０のトレー１４１が傾動しうるように構成されている。可動台１４０には、棒体（ヒンジ軸）１２６に係止してトレー１４１を傾動支持する軸受部材１５１が底部に設けられている。この場合、軸受部材１５１は断面略コ字状の長尺材であり、棒体１２６の上方から係合されている。
【００５６】
これにより、可動台１４０は、ハンドル部１４３を手前に引くことで、トレー１４１が棒体（ヒンジ軸）１２６を支点にして本体フレーム１２０の手前方向に前傾することができるようになっている。また、可動台１４０を一定角度まで傾けると、本体フレーム１２０の底部の手前隅部に設けられた火打ち板１２７に、トレー１４１の底部の前角部が当接して支持されるので、それ以上の前傾が阻止され、前傾姿勢が維持されるようになっている。したがって、本体フレーム１２０の開閉扉１２１を開けて、ハンドル部１４３を操作して、可動台１４０とともに収容した容器本体２を簡単に前傾させたり、元の姿勢に戻したりすることができるようになっている。
【００５７】
また、本体フレーム１２０の内側上部には、内側下方へ傾斜したガイド板１２８、１２８が設けられている。例示の形態では、ガイド板１２８、１２８は、左右の側部に設けられ、さらに後方が内側へ折り曲げ形成されている。これらのガイド板１２８、１２８により、投入されるごみを容器本体２内へとスムーズに誘導して、容器本体２に回収できるようになっている。
【００５８】
図７は、固定設置装置１００の平面図である。前記のような構成の本体フレーム１２０に対し、上蓋フレーム１３０は、本体フレーム１２０の上縁背面側に蝶番１３１ａ等で回動可能に取り付けられるとともに、ごみ容器１の上蓋３の周縁部に係合してこの上蓋３を保持する開口部１３２が形成されている。これにより、上蓋フレーム１３０は、上蓋３を開口部１３２に着脱可能とされている。開口部１３２の後縁部には、ごみ容器１のフック部５に嵌め合わされる凹部１３３が形成されている。このような上蓋フレーム１３０にごみ容器１の上蓋３を嵌め込むことにより、上蓋フレーム１３０の上方にごみの投入口３ａを配設可能とされている。
【００５９】
図３，４に示すように、かかる上蓋フレーム１３０と本体フレーム１２０との間には、上蓋フレーム１３０を上方へ上げた状態で保持する、折曲可能な屈折アーム１３４が備えられている。また、上蓋フレーム１３０には、本体フレーム１２０に対して閉止されたとき、本体フレーム１２０の正面側上部フレーム１２５の前面において、開閉扉１２１の上縁部１２１ｂに係合する係合部材１３５が設けられている。
【００６０】
この場合、係合部材１３５は、開閉扉１２１の上縁部１２１ｂに対応して略Ｌ字状に形成されており、上蓋フレーム１３０の正面側の下面に垂設されている。かかる係合部材１３５は、開閉扉１２１に対して係合しうる形状を備えていればよく、例示の形態に限らず、複数箇所に配設されていてもよい。
【００６１】
また、本体フレーム１２０と開閉扉１２１には、上蓋フレーム１３０を閉止した状態で施錠しうるロック手段１６０が設けられている。通常時には、上蓋フレーム１３０を本体フレーム１２０に閉止し、開閉扉１２１を閉止することで、上蓋フレーム１３０の係合部材１３５が開閉扉１２１に係合して固定される。さらに、ロック手段１６０によって開閉扉１２１を施錠することにより、本体フレーム１２０に対して開閉扉１２１および上蓋フレーム１３０が閉止された状態で施錠される。
【００６２】
よって、ごみを回収する際にロック手段１６０を解除すれば、開閉扉１２１および上蓋フレーム１３０を開閉でき、開閉扉１２１を開けて、続いて上蓋フレーム１３０を上げられるようになっている。また、上蓋フレーム１３０の前面には把手部１３６が設けられて上蓋フレーム１３０を持ち上げやすくされており、この上蓋フレーム１３０と本体フレーム１２０との間に不用意に手を挟むことがないように配慮されている。
【００６３】
このように構成されるごみ容器の固定設置装置１００は、可動台１４０にごみ容器１の容器本体２を載せて設置するとともに、上蓋フレーム１３０にごみ容器１の上蓋３を嵌め込んで固定する。ごみ容器１の容器本体２とハンドル部１４３には、断面略Ｕ字状の止め金具１４４が嵌め込まれて、蝶ナット等の止着具で固定され、両者が一体化されている。また、ごみ容器１が透明体であるとき、このように可動台１４０に固定された容器本体２には、例えば透明なごみ袋が内装されるとより好ましい。
【００６４】
また、ごみ容器の固定設置装置１００は、単独で固定設置されて使用されても、図８に斜視図にて例示するように、回収するごみの種別ごとに複数個を並列させたり、あるいは環状に配置したりして固定設置されてもよい。このとき、固定設置装置１００は、隣接する本体フレーム１２０同士が互いに連結されて固定される。固定設置装置１００が複数個並べて配設される場合、収容するごみ容器１の投入口３ａの形状を、回収するごみの種類に応じて変え、分別回収に対応させることができる。
【００６５】
ごみ容器１に一定量のごみが投入されて、ごみ袋のごみを回収したりごみ袋を交換したりする必要が生じたときには、図４に示すように、ロック手段１６０を解除して開閉扉１２１を手前へ開け、上蓋フレーム１３０を上方へ上げて開放する。そして、可動台１４０のハンドル部１４３を手前へ引いて、可動台１４０のトレー１４１および容器本体２を前傾させる。この操作により、容器本体２の上部を本体フレーム１２０の前方に露出させることができる。
【００６６】
可動台１４０の前傾角度は、本体フレーム１２０の外側に容器本体２の上部開口が現れる程度であればよく、例示の場合には、約４０°〜４５°の角度で前傾させられるように構成されている。
【００６７】
このように、本体フレーム１２０の前方に容器本体２を傾けて本体フレーム１２０の外側に傾出させることにより、ごみ袋を引き上げて取り出しやすく、ごみの回収作業の負担を軽減して、作業性を格段に高めることができる。また、このように容器本体２を前傾させていることにより、容器本体２の清掃やメンテナンスもしやすくなる。
【００６８】
なお、本発明において、ごみ容器の固定設置装置１００は上記の実施形態に限定されるものではなく、他の様々な形態を採用することも可能である。また、本発明において、ごみ容器１には各種の形状を有するものを収容して設置することが可能である。例えば、本体フレーム１２０の上部の投入部は、上蓋フレーム１３０にごみ容器１の上蓋３が嵌め込まれて保持される形態を説明したが、投入部に直接ごみの投入口が設けられて容器本体２のみを有するごみ容器１を収容するものであってもよい。
【産業上の利用可能性】
【００６９】
本発明は、ごみを回収するごみ容器の固定設置において好適に利用することができる。
【図面の簡単な説明】
【００７０】
【図１】ごみ容器の一例を示す斜視図である。
【図２】本発明に係るごみ容器の固定設置装置の正面図である。
【図３】本発明において、ごみ容器を保持した状態を示す斜視図である。
【図４】本発明においてごみ容器を保持して可動台を前傾させた状態を示す斜視図である。
【図５】本発明に係るごみ容器の固定設置装置の底面図である。
【図６】本発明に係るごみ容器の固定設置装置の側面図である。
【図７】本発明に係るごみ容器の固定設置装置の平面図である。
【図８】本発明に係るごみ容器の固定設置装置の設置例を示す斜視図である。
【符号の説明】
【００７１】
１  ごみ容器
２  容器本体
３  上蓋
４  キャップ
１００  ごみ容器の固定設置装置
１１０  固定脚部
１２０  本体フレーム
１２１  開閉扉
１２２  開口部
１２３  下部フレーム
１２４  支柱フレーム
１２５  上部フレーム
１３０  上蓋フレーム（投入部）
１３２  開口部
１３４  屈折アーム
１３５  係合部材
１３６  把手部
１４０  可動台
１４１  トレー
１４２  支持フレーム
１４３  ハンドル部
１５０  支承手段
１５１  軸受部材
１６０  ロック手段
【図１】
2009208850.tif 000003
【図２】
2009208850.tif 000004
【図３】
2009208850.tif 000005
【図４】
2009208850.tif 000006
【図５】
2009208850.tif 000007
【図６】
2009208850.tif 000008
【図７】
2009208850.tif 000009
【図８】
2009208850.tif 000010